(57)【特許請求の範囲】
【請求項１】
透液性の表面シートと不透液性の裏面シートとの間に吸収体が介在され、両側部にそれぞれ装着時に下着のクロッチ部分を巻き込むようにして固定されるウイング状フラップが形成されるとともに、このウイング状フラップの裏面シートの面側にウイングズレ止め粘着剤層が形成された吸収性物品において、
前記ウイング状フラップに対して、該フラップの幅方向中間に内方側端を有し、該フラップの先端側外縁に外方側端を有するライン状のエンボスを前記吸収性物品の幅方向に沿って複数条形成するとともに、前記ウイング状フラップの基端部折返し線より外側に１０〜２０mmの範囲は前記ライン状のエンボスを形成しない領域としてあり、
前記ライン状のエンボスは、前記ウイングズレ止め粘着剤層の形成領域からこの粘着剤層の前側端縁及び後側端縁を前側及び後側に越えて形成するようにし、かつ前記ライン状のエンボスの内、前記ウイングズレ止め粘着剤層の形成領域の前側端縁と後側端縁との間に形成されたライン状のエンボスの内方側端は前記ウイングズレ止め粘着剤層の形成範囲内としてあることを特徴とする吸収性物品。
【請求項２】
前記ライン状のエンボスは、ドット状エンボスの集合によってライン状を成している請求項１記載の吸収性物品。
【請求項３】
前記吸収性物品には、前記透液性表面シート面側であって、かつ体液排出部領域を挟む両側部にそれぞれ、前記吸収体を圧搾した吸収性物品の長手方向に延びる左右一対の防漏溝が形成され、
前記ウイング状フラップを基端部折返し線にて折り返した状態で、前記ライン状のエンボスの外方側端は前記左右一対の防漏溝間に位置し、前記ライン状のエンボスの内方側端は前記左右一対の防漏溝外に位置するようにしてある請求項１、２いずれかに記載の吸収性物品。
【発明の詳細な説明】
【技術分野】
【０００１】
本発明は、下着への固定に際し、下着のクロッチ部分に巻き付けるようにして使用されるウイング状フラップを備えた吸収性物品に係り、詳しくは前記ウイング状フラップのシワ、ヨレ、めくれ等の発生を抑えた吸収性物品に関する。
【背景技術】
【０００２】
従来より、生理用ナプキン、パンティライナー、おりものシート、失禁パッドなどの吸収性物品５０としては、例えば図８に示されるように、ポリエチレンシートまたはポリエチレンラミネート不織布などからなる不透液性の裏面シート５１と、不織布または透孔性プラスチックシートなどからなる透液性の表面シート５２との間に綿状パルプなどからなる吸収体５３が介在された本体部分の両側部に夫々、装着時に下着のクロッチ部分を巻き込むようにして固定されるウイング状フラップ５４、５４が形成されたものが知られている。
【０００３】
この種の吸収性物品５０では、装着状態時にズレ止めを図るために、例えば前記本体部分の非肌当接面側（裏面シート５１の外面）に１または複数条の粘着剤層５６…が形成されるとともに、前記ウイング状フラップ５４、５４の裏面シート５１側の面（外面）に粘着剤層５７、５７が設けらている。
【０００４】
前記吸収性物品５０を下着３０に固定する際には、図９に示されるように、吸収性物品５０を局所にあてがい、側方に突出する前記ウイング状フラップ５４、５４を下着より取り出し、両ウイング状フラップ５４、５４を折返し線ＲＬ、ＲＬで折返し、下着のクロッチ部分を巻き込むようにしながら前記ウイングズレ止め粘着剤層５７、５７を下着３０の股間部外面に接着するようにする。
【０００５】
ところが、実際の使用後の吸収性物品５０を調査すると、図１０に示されるように、装着時に脚の付け根部分の内側からの圧力（図９の「脚圧」）によりウイング状フラップ５４に縦ジワが入ることが明らかとなった。この縦ジワは、ウイング状フラップ５４のヨレやめくれを引き起こし、ウイング状フラップ５４の粘着剤層５７がショーツ３０から剥離して吸収性物品５０自体のズレやヨレの原因ともなっていた。
【０００６】
このようなウイング状フラップの特定方向に延びるシワを生じにくくするための技術として、下記特許文献１には、ウイング部の少なくとも肌当接面側が、不織布からなる上層とシート状物からなる下層とが部分的に接合されて多数の接合部が形成されている立体シートからなり、前記立体シートは、上層が、前記接合部以外の部分において着用者の肌側に向けて突出して多数の凸部を形成しており、該凸部及び該接合部は、交互に且つ一方向に列をなすように配置され、更に該列が多列に配置されており、一の列における任意の一つの凸部に着目したときに、該列に隣り合う左右の列においては、該一つの凸部と隣り合う位置に凸部が位置しておらず、前記立体シートは、前記各列が延びる方向を吸収性物品の長手方向と略一致させて配されている吸収性物品が開示されている。
【先行技術文献】
【特許文献】
【０００７】
【特許文献１】特開２００８−１６１３０３号公報
【発明の概要】
【発明が解決しようとする課題】
【０００８】
しかしながら、上記特許文献１記載の吸収性物品では、ウイング部が、吸収性物品の長手方向に沿って優先的に折れ曲がることによって、吸収性物品の幅方向に延びる折りジワを生じ難くしたものであるため、上述のような装着時の脚圧による縦ジワが防止できるものではない。
【０００９】
実際の使用後の吸収性物品を見てみると、図１０に示されるように、特にウイング状フラップ５４の幅方向先端部でのシワやめくれが発生しやすいことが明らかとなった。この幅方向先端部でのシワやめくれは、ウイングズレ止め粘着剤層５７が先端部にまで形成されないため、表面材と裏面シートとを貼り合わせただけのフラップ部ではコシが足りないことに起因するものである。
【００１０】
また、ウイング状フラップに縦ジワが生じると、ウイングズレ止めの粘着剤層同士がくっついて下着への固定が図れなくなるとともに、これを無理に剥がそうとするとウイング状フラップが伸びたり引き裂けたりして吸収性物品自体の固定が困難になるという問題が発生していた。
【００１１】
そこで本発明の主たる課題は、下着への固定に際し、下着のクロッチ部分に巻き付けるようにして使用されるウイング状フラップのシワ、ヨレ、めくれ等の発生を抑え、下着にしっかりと固定できるようにした吸収性物品を提供することにある。
【課題を解決するための手段】
【００１２】
上記課題を解決するために請求項１に係る本発明として、透液性の表面シートと不透液性の裏面シートとの間に吸収体が介在され、両側部にそれぞれ装着時に下着のクロッチ部分を巻き込むようにして固定されるウイング状フラップが形成されるとともに、このウイング状フラップの裏面シートの面側にウイングズレ止め粘着剤層が形成された吸収性物品において、
前記ウイング状フラップに対して、該フラップの幅方向中間に内方側端を有し、該フラップの先端側外縁に外方側端を有するライン状のエンボスを前記吸収性物品の幅方向に沿って複数条形成するとともに、前記ウイング状フラップの基端部折返し線より外側に１０〜２０mmの範囲は前記ライン状のエンボスを形成しない領域としてあり、
前記ライン状のエンボスは、前記ウイングズレ止め粘着剤層の形成領域からこの粘着剤層の前側端縁及び後側端縁を前側及び後側に越えて形成するようにし、かつ前記ライン状のエンボスの内、前記ウイングズレ止め粘着剤層の形成領域の前側端縁と後側端縁との間に形成されたライン状のエンボスの内方側端は前記ウイングズレ止め粘着剤層の形成範囲内としてあることを特徴とする吸収性物品が提供される。
【００１３】
上記請求項１記載の発明では、各ウイング状フラップに対して、該フラップの幅方向中間に内方側端を有し、該フラップの先端側外縁に外方側端を有するライン状のエンボスを複数条形成することにより、ウイング状フラップのコシを向上させ、シワ、ヨレ、めくれ等の発生を抑えるようにしている。また、実際の使用後の吸収性物品を調査した結果シワやめくれ等が発生しやすい部分がウイング状フラップの先端部であったため、ウイング状フラップの幅方向中間から先端側外縁又はその近傍にかけてライン状のエンボスを形成することにより、この部分のシワやめくれ等の発生を効果的に防止している。従って、ウイング状フラップが下着にしっかりと固定されるようになる。
【００１４】
なお、ウイング状フラップの「先端側外縁」とは、ウイング状フラップの幅方向外側の端縁を指し、さらにこれより吸収性物品の前側及び後側の斜辺部分に若干かかった部分を含めてもよい。
【００１５】
本発明では、前記ウイング状フラップの基端部折返し線より外側に１０〜２０mmの範囲は前記ライン状のエンボスを形成しない領域としてあるため、吸収性物品の装着状態時にライン状のエンボスの内方側端が脚に当たって違和感を生じさせるようなことがない。
【００１６】
前記ウイングズレ止め粘着剤層がウイング状フラップの中央部に形成される場合、このウイングズレ止め粘着剤層が形成される領域より吸収性物品の前側及び後側は下着に固定されないためシワが入りやすく、ヨレやめくれが発生しやすくなる。従って、ライン状のエンボスは、ウイングズレ止め粘着剤層の形成領域からこの粘着剤層の前側端縁及び後側端縁を前側及び後側に越えて形成されるようにすると、下着との固定領域からその前後領域にコシの連続性が確保され、ウイングズレ止め粘着剤層７の前後領域のシワ入りなどが効果的に防止できるようになる。
【００１７】
一方で、前記ライン状のエンボスの内、前記ウイングズレ止め粘着剤層の形成領域の前側端縁と後側端縁との間に形成されたライン状のエンボスの内方側端は前記ウイングズレ止め粘着剤層の形成範囲内とすることにより、ウイング状フラップのシワ等が防止できるため、ウイングズレ止め粘着剤層同士のくっつきが抑制され、下着への固定状態が維持できるとともに、くっついたウイングズレ止め粘着剤層を無理に剥がそうとすることによるフラップの伸びや引き裂きが防止できるようになる。
【００１８】
請求項２に係る本発明として、前記ライン状のエンボスは、ドット状エンボスの集合によってライン状を成している請求項１記載の吸収性物品。が提供される。
【００１９】
上記請求項２記載の発明は、前記ライン状のエンボスとして、一般に全長に亘って圧縮したものによって形成されるが、ドット状エンボスの集合によってライン状を成しているものでもよいことを規定したものである。
【００２０】
請求項３に係る本発明として、前記吸収性物品には、前記透液性表面シート面側であって、かつ体液排出部領域を挟む両側部にそれぞれ、前記吸収体を圧搾した吸収性物品の長手方向に延びる左右一対の防漏溝が形成され、
前記ウイング状フラップを基端部折返し線にて折り返した状態で、前記ライン状のエンボスの外方側端は前記左右一対の防漏溝間に位置し、前記ライン状のエンボスの内方側端は前記左右一対の防漏溝外に位置するようにしてある請求項１、２いずれかに記載の吸収性物品が提供される。
【００２１】
上記請求項３記載の発明では、前記左右一対で形成される防漏溝間が脚圧による変形の影響を比較的受けにくい領域であることを考慮して、ウイング状フラップを基端部折返し線にて折り返した状態で、前記ライン状のエンボスの外方側端を前記左右一対の防漏溝間に位置させ、内方側端を前記左右一対の防漏溝外に位置させることにより、ウイング状フラップの先端側のシワ入りをより効果的に防止している。
【発明の効果】
【００２２】
以上詳説のとおり本発明によれば、下着への固定に際し、下着のクロッチ部分に巻き付けるようにして使用されるウイング状フラップのシワ、ヨレ、めくれ等の発生を抑え、下着にしっかりと固定できるようにした吸収性物品が提供できるようになる。
【図面の簡単な説明】
【００２３】
【図１】本発明に係る生理用ナプキン１の一部破断展開図である。
【図２】そのII−II線矢視図である。
【図３】ウイング状フラップＷ、Ｗを折返し線ＲＬ、ＲＬで折り返した状態を示す、生理用ナプキン１の裏面図である。
【図４】エンボス１０のパターンを示すウイング状フラップＷの拡大図である。
【図５】ウイングズレ止め粘着剤層７の他の形態を示すウイング状フラップＷの拡大図である。
【図６】エンボス１０の内部パターンを示す平面図である。
【図７】ウイングズレ止め粘着剤層７の塗布状態を示すウイング状フラップＷの断面図である。
【図８】従来の吸収性物品５０を示す展開図である。
【図９】その装着状態図である。
【図１０】使用後の吸収性物品５０を示す平面図である。
【発明を実施するための形態】
【００２４】
以下、本発明の実施の形態について図面を参照しながら詳述する。
【００２５】
前記生理用ナプキン１は、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４と、この吸収体４の形状保持および拡散性向上のために前記吸収体４を被包するクレープ紙５と、表面両側部にそれぞれ長手方向に沿って形成されたサイド不織布６、６とから構成され、ナプキン１の長手方向側縁部には、前記裏面シート２とサイド不織布６との貼り合わせ部分により、側方に突出し装着時に下着のクロッチ部分を巻き込むようにして固定されるウイング状フラップＷ、Ｗが形成されている。
【００２６】
以下、さらに前記生理用ナプキン１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２８】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
一方、本生理用ナプキン１の表面がわ両側部にはそれぞれ、長手方向に沿ってかつナプキン１のほぼ全長に亘ってサイド不織布６，６が設けられ、このサイド不織布６，６の一部が側方に延在されるとともに、同じく側方に延在された不透液性裏面シート２の一部とによりウイング状フラップＷ、Ｗが形成されている。
【００３１】
前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３２】
図１及び図２に示されるように、前記ウイング状フラップＷ、Ｗの裏面シート２の面側（非肌当接面側）には、下着のクロッチ部分に巻き付けるようにして固定するために適宜の塗布パターンによってウイングズレ止め粘着剤層７、７が形成されているとともに、前記透液性表面シート３と不透液性裏面シート２との間に吸収体４が介在された本体部分の裏面シート２の面側（非肌当接面側）には、下着に対する固定のために適宜の塗布パターンによって複数条の、図示例では４条の本体ズレ止め粘着剤層８、８…が形成されている。
【００３３】
一方、前記表面シート３の面側（肌当接面側）であって、かつ体液排出部領域Ｈを挟む両側部にはそれぞれ、吸収した体液を封じ込める、股間部領域を表面側にきっちりと画成させる、股間部領域に吸収体の中高部を形成した場合にこの中高部を所定位置に保持する等のために、吸収体４を圧搾した生理用ナプキン１の略長手方向に延びる左右一対の防漏溝９、図示例では体液排出部領域Ｈを挟む両側部にナプキン１の長手方向に延びる線状部分を有するとともに体液排出部領域Ｈの周囲を小判状に囲む防漏溝９が形成されている。
【００３４】
（エンボス１０について）
本発明に係る生理用ナプキン１では、図１に示されるように、前記ウイング状フラップＷ、Ｗに対して、該フラップＷの幅方向中間に内方側端１０ａを有し、該フラップＷの先端側外縁又はその近傍に外方側端１０ｂを有するライン状のエンボス１０、１０…が複数条形成されている。
【００３５】
前記エンボス１０、１０…を形成することにより、ウイング状フラップＷのコシを向上させ、シワ、ヨレ、めくれ等の発生が抑えられるようになる。また、実際の使用後の生理用ナプキンを調査した結果、シワやめくれ等が発生しやすい部分がウイング状フラップの先端側部分であったため、ウイング状フラップＷの幅方向中間から先端側外縁又はその近傍にかけてライン状のエンボス１０、１０…を形成することにより、この部分のシワやめくれ等の発生を効果的に防止している。従って、ウイング状フラップが下着にしっかりと固定されるようになる。なお、前記ウイング状フラップＷの「先端側外縁」とは、ウイング状フラップＷの幅方向側端縁を指し、さらにこれよりナプキン１の前側及び後側の斜辺部分に若干かかった部分を含めてもよい。また、「その近傍」とは、生理用ナプキン１の外周を裁断後に前記ライン状のエンボス１０を施す場合など、ライン状のエンボス１０の外方側端がウイング状フラップＷの先端側外縁より内側に位置する場合を含むことを意味する。
【００３６】
前記ライン状のエンボス１０、１０…は、図１に示されるように、ウイング状フラップＷの基端部折返し線ＲＬより幅方向外側の長さｓが１０〜２０mmの範囲には形成しないことが好ましい。これにより、生理用ナプキン１の装着状態時にライン状のエンボス１０の内方側端１０ａが脚に当たって違和感を生じさせるようなことがなくなる。
【００３７】
ライン状のエンボス１０と前記ウイングズレ止め粘着剤層７との相対的関係は、ライン状のエンボス１０、１０…の内の全部又は大部分について、その内方側端１０ａがウイングズレ止め粘着剤層７の形成範囲内としてあることが好ましい。図１に示される例では、複数のエンボス１０、１０…の内の大部分である長手方向両端の２本を除く中間のエンボス１０、１０…の内方側端１０ａ…がウイングズレ止め粘着剤層７の形成範囲内とされている。
【００３８】
これにより、ウイング状フラップＷのシワ等が防止できるため、ウイング状フラップＷが折れ曲がってウイングズレ止め粘着剤層７同士がくっつくようなことが抑制され、下着への固定状態が維持できるようになるとともに、くっついたウイングズレ止め粘着剤層７を無理に剥がそうとすることによるウイング状フラップＷの伸びや引き裂きが防止できるようになる。
【００３９】
一方、ライン状のエンボス１０と前記防漏溝９との相対的関係は、図３に示されるように、ウイング状フラップＷ、Ｗを折返し線ＲＬにて裏面シート２側に折り返した状態で、前記ライン状のエンボス１０の外方側端１０ｂを防漏溝９の閉曲線内に位置し、ライン状エンボス１０の内方側端１０ａを防漏溝９の閉曲線外に位置するように形成することが好ましい。これは、防漏溝９の閉曲線内が両側からの脚圧による変形の影響を受けにくい領域であることを考慮して、この防漏溝９に対するライン状のエンボス１０の相対的位置関係を設定することにより、ウイング状フラップＷの先端側のシワ入りをより効果的に防止しようとしたものである。
【００４０】
前記ライン状のエンボス１０は、図４に示されるように、種々のパターンで形成することができる。例えば、図１、図３及び図４(A)に示されるナプキン１の幅方向に沿う方向に形成したものの他、図４(B)に示されるように、生理用ナプキン１の幅方向線に対し、外方側に行くに従って生理用ナプキン１の前側方向に傾斜する方向に形成したもの、或いはこれとは逆に後側方向に傾斜する方向に形成したもの（図示せず）、図４(C)に示されるように、隣接するエンボス１０、１０をそれぞれ生理用ナプキン１の幅方向線に対し、外方側に行くに従って生理用ナプキン１の前側方向及び後側方向に傾斜する方向に形成したもの、図４(D)に示されるように、ウイング状フラップＷの前側領域及び後側領域に形成されるエンボス１０…を、前側領域では生理用ナプキン１の幅方向線に対し外方側に行くに従って生理用ナプキン１の前側方向に傾斜する方向に形成し、後側領域では後側に傾斜する方向に形成したもの、或いはこれとは逆に前側領域では後側方向に傾斜する方向に形成し後側領域では前側に傾斜する方向に形成したもの（図示せず）、などのパターンとすることができる。エンボス１０は、ウイング状フラップＷに形成されるシワと直交する方向に形成したときに最も有効にシワ入り防止効果が発揮されるので、図４(A)ではナプキン１の長手方向に沿うシワに効果的であり、(B)では前側又は後側に若干傾斜したシワに効果的であり、(C)ではランダムに傾斜した略縦方向のシワに効果的であり、(D)では両側部の前後端部がめくれるようなシワに効果的である。
【００４１】
図示例のように、前記ウイングズレ止め粘着剤層７がウイング状フラップＷの中央部に形成される場合、このウイングズレ止め粘着剤層７が形成される領域よりナプキン１の前側及び後側は下着に固定されないためシワが入りやすく、ヨレやめくれが発生しやすくなる。従って、このようなシワ、ヨレ、めくれを防止するため、前記ライン状のエンボス１０は、前記ウイングズレ止め粘着剤層７の前側及び後側の領域にも形成することが好ましい。特に、図４(B)〜(D)に示されるように、ライン状のエンボス１０は、ウイングズレ止め粘着剤層７の形成領域からこの粘着剤層７の前側端縁及び後側端縁を前側及び後側に越えて形成されるようにすると、下着との固定領域からその前後領域にコシの連続性が確保され、ウイングズレ止め粘着剤層７の前後領域のシワ入りなどが効果的に防止できるようになる。
【００４２】
また、図５に示されるように、前記ウイングズレ止め粘着剤層７は、ナプキン１の略幅方向に沿う方向に複数条の線状で形成することができる。この場合も、前述の通りライン状のエンボス１０はウイングズレ止め粘着剤層７からこの粘着剤層７の前側端縁及び後側端縁を前側及び後側に越えて形成されるようにすることが好ましい。一方、この場合、ナプキン１の長手方向にウイング状フラップＷのコシが不連続的となるため、縦ジワを生じ難くすることができる。さらに、この場合、前記エンボス１０は、図示例のように、線状のウイングズレ止め粘着剤層７の配向方向に対してナプキン１の前側又は後側に若干傾斜する方向に形成することが好ましい。これにより各エンボス１０が線状のウイングズレ止め粘着剤層７と交差するようになり、ウイングズレ止め粘着剤層７をナプキン１の略幅方向に沿う方向に複数条の線状で形成することとの相乗効果によりウイング状フラップＷの縦ジワをより確実に防止できるようになる。
【００４３】
ところで、前記ライン状のエンボス１０は、内方側端１０ａから外方側端１０ｂの全長に亘って圧縮したものとしても良いが、図６(A)〜(D)に示されるように、格子状や千鳥格子状など種々のエンボスパターンで形成したドット状エンボスの集合によって実質的にライン状を成しているものとしても良い。同図６(A)〜(D)に示されるように、ドット状エンボスの面積割合は任意に設定することができる。
【００４４】
一方、図７に示されるように、前記エンボス１０が形成される部分では、ウイングズレ止め粘着剤層７が裏面シート２から浮いた状態で塗布される場合があるため、このウイングズレ止め粘着剤層７を下着に固定すると、浮いた部分のウイングズレ止め粘着剤層７の粘着剤が下着に残る糊残りが発生する場合がある。従って、この糊残りを低く抑えるため、ウイングズレ止め粘着剤層７の形成領域では、この領域の面積に対して５〜２０％程度の割合でエンボス１０を形成するようにすることが好ましい。
【００４５】
本生理用ナプキン１の製造に当たっては、各部材を組み立てた後、表面材と裏面シート２とをナプキン１の外周部の全周に亘って接合する外周シールを施す工程と同時に、前記エンボス１０を形成することが好ましい。
【符号の説明】
【００４６】
１…生理用ナプキン、２…裏面シート、３…表面シート、４…吸収体、５…クレープ紙、６…サイド不織布、７…ウイングズレ止め粘着剤層、８…本体ズレ止め粘着剤層、９…防漏溝、１０…エンボス、１０ａ…内方側端、１０ｂ…外方側端、Ｗ…ウイング状フラップ
【図１】
0005647824.tif 000002
【図２】
0005647824.tif 000003
【図３】
0005647824.tif 000004
【図４】
0005647824.tif 000005
【図５】
0005647824.tif 000006
【図６】
0005647824.tif 000007
【図７】
0005647824.tif 000008
【図８】
0005647824.tif 000009
【図９】
0005647824.tif 000010
【図１０】
0005647824.tif 000011